(57)【要約】【課題】特に、書籍の出版分野において、印刷等の製造コストや返品のリスクを回避することができる、通信ネットワークによるコンテンツ配信と製本キットよる書籍の供給方法と、簡単、迅速、かつ安価に製本できる製本キットを提供する。【解決手段】書籍のコンテンツを蓄積し配信する配信装置２と、受信装置３で受信したコンテンツを印字し製本するため、表紙５０１と、貼り付け用紙５０６と、印字用紙５０７で構成される製本キット５を備えた。【選択図】　　　図１
2004013881.tif 000002
【特許請求の範囲】
【請求項１】
通信ネットワークにより配信するコンテンツと、受信側にて受信したコンテンツを使用し商品を完成させるための作成キットと、を備えていることを特徴とする商品の供給方法。
【請求項２】
通信ネットワークにより配信する書籍のコンテンツと、受信側にて受信したコンテンツを製本するための製本キットと、を備えていることを特徴とする書籍の供給方法。
【請求項３】
前記書籍の供給方法は、前記製本キットが、表表紙および裏表紙を備える表紙部と、を備えていることを特徴とする請求項２記載の書籍の供給方法。
【請求項４】
前記コンテンツは、模様や絵や写真や文章などの印字すべき標準的な内容の他に、必要に応じて、前記標準的な内容の一部を変更したり、標準的な内容に別の内容を追加するためのプログラムと、を備えていることを特徴とする請求項２記載または請求項３記載の書籍の供給方法。
【請求項５】
表表紙および裏表紙を備える表紙部と、印字用紙を表紙部に貼り付けるための貼り付け用紙と、を備えていることを特徴とする製本キット。
【請求項６】
前記製本キットは、印字用紙の最初のページの前と、最後のページの後ろに、貼り付け用紙をそれぞれ配置した状態で全体の用紙を綴り、表紙部の表表紙と裏表紙に貼り付けるようにして製本することを特徴とする請求項５記載の製本キット。
【発明の詳細な説明】
【０００１】
【発明の属する技術分野】
本発明は、インターネット等の通信ネットワークにより、商品を完成させるためのコンテンツを配信し、受信側にて別途供給される作成キットを用い商品を完成させる、商品の供給方法とその作成キットに関する。特に、書籍の出版分野において、通信ネットワークにより、絵、文章、その他の本のコンテンツを配信し、利用者である受信側にて、製本キットを用い、特別な装置を用意することなく、簡単、迅速、かつ安価に実際の本に仕上げる書籍の供給方法とその製本キットに関する。
【０００２】
【従来の技術】
情報技術の発展にともない、大量、かつ安価に情報の配信が可能となり、様々な分野でその方法自体が変化している。書籍の出版分野においても、インターネット等の通信ネットワークでコンテンツを配信し、受信機で受信するという電子出版が登場している。この電子出版の方法によれば、供給側の印刷コスト、返品リスク等の問題を回避することができる。
【０００３】
【発明が解決しようとする課題】
しかしながら、上記した電子出版を含む、各分野における情報技術の利用は、情報の受発信を主目的としており、平面状の用紙には印字できても、配信されたコンテンツ等の情報を基にして、受信側において実際の商品を作るというものではなく、また製造のためであっても、特別な装置を必要とするものであった。
例えば、電子出版においても、絵、文章、その他のコンテンツを配信し、受信装置で受信されたコンテンツを見る、または用紙に印字するというもので、受信したコンテンツを基に、一般の本の形にできるものではなかった。また、受信装置の製造コストの問題、利用者への課金の問題、その他の問題があった。
さらに、通常の出版分野においては、大量印刷するため、印刷コストの問題、返品の問題があった。また、電子出版では通常の書籍とは異なり、受信装置の購入、持ち運び、使用における不便さという利用者側の問題もあった。
本発明は、上記の課題に鑑み、通信ネットワークにおいてコンテンツを配信し、受信側で作成キットを用い、商品を作成するという商品の供給方法と作成キットを提供することを目的とする。特に、出版分野において、絵、文章、その他のコンテンツをインターネット等の通信ネットワークで配信し、利用者である受信側において、受信したコンテンツを基に、製本キットを用い、特別な装置を用意することなく、簡単、迅速、かつ安価に本を作成するという書籍の供給方法と、そのための製本キットを提供することを目的とする。
【０００４】
【課題を解決するための手段】
上記目的を達成するために、本発明に係わるコンテンツ配信と製本キットによる書籍の供給方法は、インターネット等の通信ネットワークにより配信される絵や文章等の書籍のコンテンツと、利用者である受信側が一般普及型のパーソナルコンピュータ等の受信装置で受信したコンテンツを実際の本の形に仕上げるための製本キットと、を合わせて備えることを特徴とする。なお、本発明において印字用紙とか印字の用語を用いるが、文字以外の印刷を除外するものではなく、印刷対象となる全てのコンテンツを含むものである。
【０００５】
具体的には、書籍の供給側は、絵、文章、その他、書籍のコンテンツをインターネット等の通信ネットワークで配信できるように用意する。この時、受信側ですぐに印字できるように、予めページに分けた状態で用意しておくのが好ましい。また、必要に応じて、文章の特定部分を変換するソフト、写真や絵等を挿入できるソフト等のコンテンツを編集、加工できるソフトも用意しておくと良い。
【０００６】
製本キットを入手した利用者である受信側は、パーソナルコンピュータ等の受信装置で、インターネット等の通信ネットワークを通じ、供給側のコンテンツにアクセスする。製本キットは、書店その他で販売すると良い。販売の時点で料金が徴収でき、利用者への課金の問題が解決される。
【０００７】
製本キットの中には、コンテンツにアクセスするためのパスワードを用意しておく。このパスワードは、製本キットごとにことなるパスワードとし、一旦サービスを利用した者または製本キットを入手していない者がコンテンツにアクセスできないようにしておくのが好ましい。
その後、受信したコンテンツをプリンタで印字し、製本キットで実際の本に仕上げる。
【０００８】
本発明に係わる製本キットは、表表紙および裏表紙を備える表紙部と、印字した用紙を表紙部に貼り付ける為の貼り付け用紙を備えており、更に必要に応じて複数枚の用紙からなる印字用紙を備えていることを特徴とする。
前記製本キットでは、表紙部や、印字用紙には、印刷を施さず利用者側で絵、文章、その他の全てのコンテンツを印字するようにしても良いし、コンテンツの内容に応じ、予め必要最小限の印刷をしておいても良い。また、表紙部を覆う印字用のカバー用紙を用意しておいても良い。
【０００９】
前記製本キットでは、例えば、Ｂ５普通紙１６ページから４４ページ用のように、１種類のキットで複数のコンテンツに対応できるようにしておく、これによりコンテンツごとにキットを用意するという供給者側の製造コストが軽減される。また、印字用紙の枚数やページ数、用紙の大きさや厚さ等は、製本キットのサイズを変更すれば良く制限されることはない。
【００１０】
【発明の実施の形態】
以下、本発明の実施の形態について、図面を用いて詳細に説明する。
図１は、本実施の形態における、書籍の供給側による、模様、絵、文章、写真等の印字すべき標準的な書籍のコンテンツと共に、必要に応じてコンテンツを加工、編集するソフト等のコンテンツ（以下、コンテンツと総称する）配信と製本キットによる書籍の供給方法の全体構成を示す図である。このコンテンツ配信と製本キットによる書籍の供給方法１は、インターネット等の通信ネットワーク（以下、通信ネットワークと総称する）４で接続された２種類の装置２，３、即ち、供給側におけるコンテンツを配信するためのコンテンツ配信装置２と、製本キット５の入手者側における一般のパーソナルコンピュータ等のコンテンツ受信装置３、受信装置３に接続されるプリンタ６、受信したコンテンツをプリンタ６で印字し、製本するための製本キット５とから構成される。
【００１１】
コンテンツ配信装置２は、このコンテンツ配信と製本キットによる書籍の供給方法１で提供するコンテンツを複数蓄積するコンピュータ装置等であり、コンテンツを配信する配信サーバである。
【００１２】
コンテンツ受信装置３は、製本キット５の入手者が、コンテンツ配信装置２にアクセスしコンテンツを受信するための、パーソナルコンピュータ等の受信装置である。
【００１３】
まず、サービス利用者は、パッケージングされた製本キット５を入手する（以下、製本キット５の入手者を利用者とする）。この場合、製本キットは書店や、その他の通常の流通経路で販売すると良い。製本キットの販売時に料金を徴収でき、インターネットビジネスにおける課金の問題がクリアーされる。製本キット５のパッケージの中には、外部より見えないように、受信装置３より配信装置２にアクセスしコンテンツを受信するための、アドレスや、製本キットごとのパスワード等を用意しておく。
【００１４】
製本キット５は、例えば、Ｂ５普通紙１６ページから４４ページ用、Ａ５厚紙２０ページから４８ページ用のように、印字用紙の枚数やページ数、大きさや厚さ等で種類に分け、複数のコンテンツに対応できるようにしておく。配信装置２には、製本キット５の種類に対応した複数のジャンル（「オリジナル本」、「通常本」等の大分類や、「絵本」、「小説」等の小分類に類別されている）のコンテンツを用意しておく。また、配信装置２では、新たなコンテンツの追加、既存のコンテンツの削除ができるようにしておく。さらに、各コンテンツは、利用者がすぐに印字できるよう、予めページに分けて編集しておくと良い。
【００１５】
図２は、図１に示されるコンテンツ配信装置２が実行するコンテンツ配信処理を示すフローチャートである。このコンテンツ配信処理は、製本キット５の入手者がコンテンツ受信装置３から操作することができる。
【００１６】
利用者は、受信装置３からアドレスとパスワードを入力し配信装置２にアクセスする（Ｓ１１）。この場合、利用者以外のアクセス防止等の為、パスワードの入力回数を３回程度にし、３回以上間違った場合は、アクセスができないようにしておくと良い（Ｓ１２）。また、使用したパスワードは配信装置側で登録、管理し再使用できないようにすると良い（Ｓ１３）。
【００１７】
配信装置２にアクセスした利用者は、配信装置２に接続された受信装置３の画面上で、枚数やページ数、大きさや厚さを基に所持する製本キット５の種類を選択する（Ｓ１４）。受信装置３の画面上には、選択された製本キット５に合致する複数のコンテンツ情報の題名やそのサマリーからなる、コンテンツ選択画面が表示される。表示されたコンテンツの中から、利用者は好みのコンテンツを一つ選択する（Ｓ１５）。受信装置３の画面上に選択したコンテンツが表示され、そのコンテンツでよければそのまま選択し、変更する場合は、再度コンテンツ選択画面に戻る（Ｓ１６）。その後、利用者は、製本キット５で、選択したコンテンツをプリンタ６で印字し実際の本に仕上げる。これにより、書籍の供給側は、コンテンツの配信が主となり、通常の出版における印刷や製本コストの問題、売れ残りの場合の返品の問題が回避される。また、製本キット５は１種類で複数のコンテンツに対応するため、製本キット５の製造コストが軽減され、安く利用者に提供することができる。さらに、種類ごとに本を出版する必要がなく、紙の無駄な使用もなくすことができる。
【００１８】
写真集、名前を挿入するオリジナル本、その他コンテンツの内容を編集したり、加工したりする場合は、その編集ソフトも配信装置２に用意しておき、受信装置３より使用できるようにしておくと良い。写真集等の場合のように、外部の写真や絵を挿入して編集する場合は、受信装置３に接続されたスキャナーやデジタルカメラ等で受信装置３に取り込んだものや、受信装置３で作成した、絵、文章、その他のファイルも配信装置２に用意されている編集ソフトにて編集できるようにしておくと良い。また、内容を編集、加工しないコンテンツの場合は、受信装置３からは、コンテンツの内容を変更できないようにしておく。さらに、製本キット５のマニュアルやビデオ説明、読み聞かせ用の音声、その他付随するコンテンツも、配信装置２に用意しておき、受信装置３で受信できるようにしておくと良い。
【００１９】
受信装置３で受信したコンテンツは、プリント終了後も受信装置３のハードディスク等に残らないようにしておくことが好ましい。そのため、配信装置２から、受信装置３に接続されたプリンタ６を操作しプリントできるようにしたり、受信装置３にコンテンツをダウンロードしても、プリント終了後またはある一定の時間経過後にハードディスクより削除されるような工夫を施すと良い。但し、付随するコンテンツ、例えば、絵本の読み聞かせ用の音声等、受信装置３に残しても良いものは、残るようにしておくと良い。
【００２０】
図３は、図１に示される製本キット５の本体部について、具体的に図示したものである。製本キット５の表紙部５０１の構造は、特に限定されないが、例えば、２枚の厚紙５０３，５０４の間に細長い厚紙５０５を配置し、これらの厚紙に紙材５０２を貼り付けて、全体を一体化させれば良い。
さらに、一体化した表紙部５０１を覆う印字用のカバー用紙を用意しておいても良い。カバー用紙を用意する場合は、配信装置２に、カバー用紙を印字するためのコンテンツを用意しておくと良い。
【００２１】
印字用紙５０７は、コンテンツをプリンタ６で印字する為の複数枚からなる用紙である。印字用紙５０７をプリンタ６にセットし印字する。印字終了後、印字用紙５０７を表紙部５０１に貼り付ける為の用紙（以下、貼り付け用紙と略称する）５０６を用い、表紙部５０１に貼り付けて製本する。
【００２２】
貼り付け用紙５０６は、印字用紙５０７と同じ大きさの接着面を剥離紙で覆ってなる２枚の接着用紙であり、剥離紙を剥がしやすいように、剥離紙に切れ目５０６ａを設けておくと良い。
印字用紙５０７の各用紙の上下やページの順番を確認し全体を束ね、第１ページの表側と最終ページの裏側に貼り付け用紙５０６を重ねる。そして、全体の背側の端から５ｍｍ程度の位置をホッチキス針等で綴じる。背側は、横書きの場合は第１ページの左側、縦書の場合は第１ページの右側となる。
【００２３】
貼り付け用紙５０６と印字用紙５０７を綴った後、貼り付け用紙５０６の表面側の剥離紙を切れ目よりはがし、表紙部５０１の表面側に貼り付ける。表紙部５０１には厚紙５０５より３ｍｍ程度の位置に直線マーク５０８を付けておき、そのマークを目印に背の端を合わせ貼り付ける。その後、裏面側の剥離紙をはがし表紙部５０１の裏面側に貼り付ける。
なお、上記した接着方法は、一例であり、表面側の剥離紙に代えて、裏面側の剥離紙をはがして、表紙部５０１の裏面側から貼り付けていっても良いのは勿論である。また、必ずしも、直線マーク５０８を目印にして位置決めする必要はなく、直線マーク５０９の側で位置決めしても良い。
【００２４】
以上、本発明の一実施例について説明したが、本発明の趣旨を逸脱することなく各種の変更が可能である。
【００２５】
特に、アクセス時に利用者を特定する方法としては、パスワード以外の方法でも良く、利用者が配信装置２にアクセスし、コンテンツを選択するまでの順序や選択方法、配信装置２から受信装置３へのコンテンツ配信方法等は、本発明の趣旨を逸脱することなく適時変更される。さらに、利用者以外の者でも、サービス内容、コンテンツの種類、各コンテンツのサマリー等をパスワードなしで、閲覧できるようにしても良い。
【００２６】
また、サービス利用者への製本キット５の配布方法または課金方法は、製本キット５の販売でのみ課金するのではなく、製本キット５の入手時とサービス利用時の両方で課金しても良いし、製本キット５を無料で配布した場合のようにコンテンツにアクセスしサービスを利用した時点で課金しても良い。
【００２７】
また、製本キット５は、配信するコンテンツによっては、例えば、絵本などの場合、予め、表紙部５０１や印字用紙５０７に、必要最小限の印刷を施しておき、特定のコンテンツのみの製本キット５を提供しても良い。さらに、製本キット５の表紙部５０１，印字用紙５０７には、一切印刷を施さず無地のままの用紙でも良いし、予め必要個所に、ページ番号、模様、絵、その他の印刷を施しておいても良い。
【００２８】
また、表紙部５０１は、利用者が、紙材５０２を印字した後、表紙部５０１を組み立てるものとして、厚紙５０３，５０４，５０５，紙材５０２を予め一体化せず、ばらばらにして提供しても良い。この場合は、紙材５０２の裏面側を剥離紙で覆ったシールにしておいたり、利用者が糊付けをし各パーツを貼り付けていくと良い。紙材５０２の裏面には厚紙５０３，５０４，５０５を貼り付ける位置を示す線等の印をつけておくと良い。また、大きさの異なる厚紙５０３，５０４，５０５を何種類か用意しておくと、利用者側で大きさやページ数を選択して本が作成できる。この場合は、各厚紙５０３，５０４，５０５に、Ａ５やＢ５等の対応する用紙の大きさやページ数を表記しておき、紙材５０２には、各ページ数や大きさ等に対応する切り取り線を表示しておくと良い。さらに、配信装置２に、紙材５０２を印字するためのコンテンツを用意しておくと良い。
【００２９】
また、製本キット５は、印字用紙５０７を二つ折りにし、重ねあわせ中綴じにするものでも良いし、印字用紙５０７を二つ折りや四つ折りにし、上下に重ねあわせ背側を綴じ表紙部５０１に貼り付けるものでも良い。四つ折り以上に折る場合は、用紙の端を切り落として製本すると良い。この場合、配信装置２において製本キットに合うようにページを振り分け編集しておく。さらに、無地の用紙で予め製本しておき、印字用紙５０７を、各ページや表紙等に貼り付けていくようにしても良い。
【００３０】
また、貼り付け用紙５０６は、印字用紙全体を覆う大きさの１枚の用紙（印字用紙の縦×横×２＋印字用紙全体の厚み）とし、印字用紙５０７の背側で覆い全体を綴るようにしても良い。さらに、印字用紙５０７に２倍の長さの用紙を２つ折にし、その一方を剥離紙で覆う接着面とする２枚の用紙でも良い。また、接着面を有しない普通の紙でも良く、この場合は、貼り付け面にのりをぬり、表紙部５０１に貼り付ける。貼り付け用紙５０６は、本発明の趣旨に逸脱することなく、適時その形状と方法は変更され、最善のものを使用する。
【００３１】
また、製本キット５は、例えば、コピー用紙のように、利用者の手持ちの用紙で印字するするようにし、表紙部５０１と貼り付け用紙５０６のみとしても良い。また、貼り付け用紙５０６を使用することなく、印字用紙５０７を表紙部６０１に直接貼り付けても良い。この場合は、印字用紙５０７の第１ページと最後のページの片面を貼り付けても良いし、背側の５ｍｍ〜１０ｍｍ程度を貼り付けても良い。さらに、印字用紙５０７の第１ページ前と最後のページ後に化粧用の用紙を配置しても良い。製本キット５の構成は、本発明の趣旨に逸脱することなく、表紙部５０１、貼り付け用紙５０６、印字用紙５０７、表紙部を覆うカバー用紙、化粧用紙、その他、コンテンツに合わせ最善の組み合わせとして提供する。
【００３２】
また、貼り付け用紙５０６と印字用紙５０７を綴じる方法は、ページ数の少ない場合であれば、各用紙の背側５ｍｍ程度の位置に糊付けし、貼りあわせていっても良いし、貼り付け用紙５０６と印字用紙５０７の綴じる位置（端より５ｍｍ程度）に２ｍｍ程度の穴を一定の間隔で一列に開けておき、細い針金や糸等で綴じても良い。また、貼り付け用紙５０６と印字用紙５０７の全体を挟み付けるクリップ等を用い綴じても良い。
さらに、表紙５０１の厚紙５０５の部分にクリップや留め金を固定させておき、印字用紙５０７のみ、あるいは印字用紙５０７と張り付け用紙５０６の両方をクリップや留め金で挟み、綴じても良い。
【００３３】
【発明の効果】
以上説明したように、本発明によれば、通信ネットワークでコンテンツを配信し、受信側で製本キットを用い、簡単、迅速、かつ安価に本を作成することができ、書籍の供給側では印刷、製造コストの軽減、返品のリスク回避ができ、利用者側では、実際の本の形にして手元に残しておくことができる。
【図面の簡単な説明】
【図１】本実施の形態における通信ネットワークによるコンテンツ配信と製本キットによる、書籍の供給方法の全体構成を示す図である。
【図２】図１に示されたコンテンツ配信装置２が実行するコンテンツ配信処理を示すフローチャートである。
【図３】図３は、製本キットの本体部について具体的に図示したものである。
【図４】図４は、図１で示された受信装置３での画面表示例を示す図である。
【符号の説明】
２　コンテンツ配信装置
３　コンテンツ受信装置
４　通信ネットワーク
５　製本キット
【図１】
2004013881.tif 000003
【図２】
2004013881.tif 000004
【図３】
2004013881.tif 000005
【図４】
2004013881.tif 000006